(57)【要約】【課題】ネクタイを着用しない場合、衿ボタンを外してワイシャツを装用すると衿元が開きすぎるので、衿元が開き過ぎず且つデザイン性に優れたボタン配列を有するワイシャツを提供する。【解決手段】第１ボタンを前立上端から１０〜４０ｍｍ下方に設け、且つ第１ボタンと第２ボタン、第２ボタンと第３ボタン等の間隔を６０〜１００ｍｍとする。第１ボタン以下のボタン間隔は、実質的に等間隔とする。【選択図】図２
2007009386.tif 000002
【特許請求の範囲】
【請求項１】
衿と、前身頃と、袖と、前立と、衿ボタンと、第１ボタンと、第２ボタン、第３ボタンとを有するワイシャツにおいて、上記第１ボタンと上記前立の上端との間隔を１０ｍｍ〜４０ｍｍとし、上記第１ボタンと上記第２ボタンの間隔を５５〜１００ｍｍとしたことを特徴とするワイシャツ。
【請求項２】
前記第１ボタンと前記第２ボタンの間隔と、前記第２ボタンと前記第３ボタンの間隔をほぼ等しくしたことを特徴する請求項１記載のワイシャツ。
【請求項３】
前記第１ボタンが、ボタンホックまたはマジックファスナーであることを特徴とする請求項１又は２記載のワイシャツ。
【発明の詳細な説明】
【技術分野】
【０００１】  本発明は、第１ボタンの取付け位置を改良したワイシャツに関する。
【背景技術】
【０００２】  従来のワイシャツは、ネクタイを締めることを前提としてデザインされたドレスシャツである。しかし、イタリアンカラー等は、ネクタイを締めないことを前提として、デザインされたものであり、装用者は、胸元を広く開くことを前提とした着こなし方をしているのが通例である。また、タグカラーやピンホールカラー等は、ノーネクタイで、衿ボタンを外していても、衿元が余り開かないタイプのものもある。本発明はこれらのワイシャツを対象とするものではない。【０００３】  また、ネクタイの着用は、フォーマルな身だしなみとして慣用されている。寒い季節では、ネクタイを締めることにより体温の発散が抑制される利点があるが、この体温発散抑制効果は、暑く且つ湿度の高い地域の夏季には、逆に欠点となる。【０００４】  気温が高く且つ湿度も高い季節のある地域（緯度が大略４０度以下）では、夏場、ネクタイを着用しないで衿ボタンを外したくなる。その場合、衿元が開き過ぎて見栄えが悪くなるとともに、下着の衿元が見えたりして、他人に不愉快さを感じさせる。【０００５】  図３は、ネクタイを着用しなで、衿ボタンを外した場合のワイシャツの衿元を例示したものである。この図は、衿ボタンを外して着用し始めた状態を図示してあり、衿元の開き具合の見てくれはわくるないが、フロント３とフロント（下）３ａの間がワイシャツを着用している間に開きすぎとなる。特に、洗濯等により生地が柔らかくなってくると、フロント３が前立８とともに外側に折り曲がり、見てくれが悪くなるとともに襟元を更に曝けだしたりする。また、フロント（下）３ａが下前身頃１０とともに外側に折れ曲がってしまうこともある。このような場合、見るに絶えない衿元となり、更に下着が見えてくる。特に、下着が丸首シャツの場合、下着の露出が著しい。【０００６】  他方、ボタンダウンでは、衿ボタンを外してもその衿元は通常のワイシャツと比較して開き難いが、長期間使用すると生地が柔らかくなり、糊付けとアイロン掛けを怠った場合、衿のフロント部分が開き過ぎるようになる問題がある。【０００７】  この欠点を改良する方法として、衿ボタンと第１ボタンとの間に少なくとも１個のボタンを設けるシャツが、実用新案登録第３００６０９５９号公報に開示されている。【０００８】  図４は、開示されているワイシャツの１例である。衿ボタン４と第１ボタン５との間に、中間ボタン１５と中間ボタン１６が追加されている。しかし、このワイシャツは、ワイシャツを装用する時、中間ボタンを設けたため、衿ボタン４と第１ボタンの間でのボタン間隔が狭くなるため、ボタンを嵌めることが難しくなる問題がある。更に、ボタン間隔が不均衡でデザイン上好ましくないばかりか、ボタンを１個以上余分に付けなければならない問題がある。【０００９】  他方、装用している時に見えるワイシャツのボタンの配列は、機能的な面とデザイン的な面がある。機能的な面は、ボタンが掛け易く且つボタンを掛けても前立が開いて、その間から下着等が見えない距離でなければならないことである。また、デザイン的に好ましいことは、ボタンの大きさにも依存するが、ボタンの間隔が不揃いにならないこと、或いは、ボタンの間隔が密に或いは粗くなり過ぎないことである��【００１０】  ネクタイを装用しないで、衿ボタン４を外し、その下方に設けられた第１ボタン５を掛けた場合、通常は、第１ボタン５の直ぐ下のボタン（通常は、第２ボタン６）が見える。ワイシャツを着用しない場合、第２ボタン６の配置はデザインに大きく影響をおよぼしてくる。【００１１】  衿ボタン４と第１ボタン５の間に中間ボタンを少なくとも１個設けた実用新案登録第３００６０９５９号公報に開示されたワイシャツは、ネクタイを装用しないで、衿ボタン４を外し、その下方に設けられた中間ボタン１５を掛けた場合、中間ボタン１６と第２ボタン等が見える。中間ボタン１６と第１ボタン５の間隔は、他のボタン間隔の半分前後であるため、ボタン位置が不揃いで且つ窮屈に見えて、デザイン上好ましくない問題がある。【００１２】  更に、第１ボタンと第２ボタンとの間に、ボタンを設けることは、ボタンの個数を実質的に増やすこととなる問題もある。【００１３】  衿ボタンと第１ボタンとの間に、カラー自在止めとして面ファスナを設けるワイシャツが実用新案登録第３０７４７３５号公報に開示されている。しかし、このワイシャツは、カラー自在止めを目的とするもので、ネクタイを装用しないで衿ボタンを外した時の欠点をなくすものではなく、更に、衿元が開いた時に面ファスナの一部が露出し見苦しくなる問題がある。【００１４】  従来の大人用の標準的ワイシャツにおいて、前立上端１１と第１ボタン５との間隔は５０〜６０ｍｍ、第１ボタン５と第２ボタン６との間隔は大略８０〜１００ｍｍである。第２ボタン６と第３ボタン７との間隔も大略８０〜１００ｍｍで、第３ボタン以下のボタン間隔は、同様に大略８０〜１００ｍｍである。また、衿ボタン４と第１ボタン５との間隔は、大略７０ｍｍで、第２ボタンと第３ボタンの間隔より小さく設定されている。【００１５】  従来のワイシャツにおいて、取り付けられているボタンの個数（予備のボタンは含まない。）は、ワイシャツのサイズにもよるが、６〜９個で、標準は、７〜８個である。ボタンは、デザイン的な面から等間隔に取り付けることが好ましく、第１ボタンを除くと実質的に等間隔である。また、ボタンの間隔を等差数列的に規則的に間隔を変えることもデザインとして好ましいこともある。
【特許文献１】  実用新案登録第３０６０９５９号公報
【特許文献２】  実用新案登録第３０７４７３５号公報
【発明の開示】
【発明が解決しようとする課題】
【００１６】  解決しようとする問題点は、ネクタイを着用した場合と、着用しない場合と双方で見栄えが良く且つボタン掛けが容易なワイシャツを提供することにある。【００１７】  第１ボタンを前立上端の近くに配置させることは、ネクタイを装用しない場合に効果があり、蝶ネクタイを除いてネクタイを装用した場合は、ボタンがネクタイに隠れるからボタン位置は、デザイン上関係ないが、ワイシャツの色、模様や形状をネクタイの装用と非装用の双方に適するものとする。
【課題を解決するための手段】
【００１８】  本発明は、衿と、前身頃と、袖と、前立と、衿ボタンと、第１ボタンと、第２ボタン、第３ボタンとを有するワイシャツにおいて、第１ボタンと前立の上端との間隔を１０ｍｍ〜４０ｍｍとし、第１ボタンと第２ボタンの間隔を５５〜１００ｍｍとしたことを特徴とする。【００１９】  また、本発明は、記第１ボタンと第２ボタンの間隔と、第２ボタンと第３ボタンの間隔をほぼ等しくしたことを特徴する【００２０】  また、第１ボタンが、ボタンホックまたはマジックファスナーであることを特徴とする。
【発明の効果】
【００２１】  本発明は、上記の構成により以下のような効果を奏する。
本発明のワイシャツは、ネクタイを着用しない場合に、装用者の見栄えを悪くすることなく、ネクタイを着用した場合にボタンを掛け易くできるという利点がある。【００２２】  また、本発明のワイシャツは、ネクタイを装用しない場合、ボタン配列の見栄えを悪くさせない利点がある。【００２３】  更に、本発明のワイシャツは、実質的にボタンの個数を増やさずにネクタイを着用しなで衿ボタンを外した場合に、装用者の見栄えを悪くすることない利点がある。【００２４】  なた、本発明は、第１ボタンにホックやファスナをもちいることにより第１ボタンを掛け易くする利点がある
【発明を実施するための最良の形態】
【００２５】  図１は、本発明のワイシャツを説明するための図で、本発明になるワイシャツを正面から見たものである。衿山１、衿足２、衿ボタン４、第１ボタン５、第２ボタン６、第３ボタン７、前立８、上前身頃９、下前身頃１０と、左右の袖１２からなる。図示していないが後身頃が前身頃の裏側にあり、第３ボタン以下のボタンには符号を記していない。第１ボタン５は、衿ボタン４を外して装着した時、衿元が開き過ぎないように前立８の上の方に設けられている。ボタンには、図３に示すように、それぞれボタン孔が対応して設けられているが、省略してある。なお、ボタンは、下前身頃９に縫い付けられ、前立８には、ボタン孔が設けられているが、便宜的に前立にボタンが儲けられているような表現をする場合もある。【００２６】  本発明において、衿元が開き過ぎることは、フロント７とフロント（下）７ａの間から下着や肌が露出すること、または衿元付近の前立と下前身頃の間から下着等や肌が露出することを指す。または、フロント（下）７ａがフロント７より前に出てくることや、フロント７やフロント（下）７ａが捩れて見苦しくなること等も指す。【００２７】  前立上端１１と第１ボタン５との間隔は、１０ｍｍである。第１ボタン５と第２ボタンの間隔は、９０ｍｍで、前立８に設けられているボタンの間隔を実質的に等しくしてある。従来のワイシャツでは、前立上端１１と第１ボタン５の間隔は、第１ボタンと第２ボタン６との間隔より狭い６０ｍｍ前後に設定されているが、図１では、第２ボタン６と第３ボタン７との間隔とほぼ等しくしてある。【００２８】  また、前立上端１１と第１ボタン５の間隔を３０ｍｍとし、第１ボタン５と第２ボタンとの間隔を６０ｍｍ前後と従来の前立１１と第１ボタン５の間隔とほぼ等しくした場合、衿ボタン４を除く前立８のボタンの配置は、ボタン全体を３０ｍｍ上に移動したことと等しくなる。【００２９】  図２は、衿元付近の拡大図である。衿ボタン、前立上端、第１ボタン等には、図１と同じ符号が付けられている。ボタンには、ボタン孔がそれぞれ対応して図３に示すように設けられているが、図面が複雑となるので省略してある。図３では、ボタン孔を水平と垂直の２種類を図示している。ボタン掛けが楽なように、衿ボタン４用のボタン孔は水平で、前立８に設けられるボタン孔は、垂直である。また、ポロシャツ等では、前立のボタン孔が水平でも良い。【００３０】ボタンの間隔は、ボタンの中心間の距離をいい、大凡、ボタンを糸で縫いつけた位置の間隔である。また、ボタン孔の中心の距離、又はボタン孔の上端の距離もほぼボタンの間隔に相当する。【００３１】  第１ボタンは、前立上端１１から２０ｍｍの位置に来るように、第１ボタン第１ボタンは、前立上端１１から２０ｍｍの位置に来るように、第１ボタンが取り付けられ、それに対応するボタン孔が、前立に設けられている。図示していないが、第１ボタン５と第２ボタン６の間隔は、９０ｍｍである。第１ボタン５以下のボタン間隔は、デザイン上見苦しくない値とする。【００３２】  第１ボタンを第１ボタン孔に嵌める時、前立上端１１と第１ボタンとの距離により、ボタンの嵌め易さ、衿元の窮屈さ、体の中からの空気の流動等が異なる。空気の流動���、衿元がしまっていて、衿ボタンを外して開いた衿元を通して胸元の空気が外気と連通することである。胸元の温かい空気が、外へ排出され、代わりに外気が胸元に入ってくる。【００３３】  襟元の開き具合、ボタンの嵌め易さ、衿元の窮屈さ、空気の流動等は、夫々ワイシャツにとって、不可欠な要素であるが、着心地は、衿元の窮屈さと空気の流動に関与することが大きい。また、着用者にとって、ボタンの嵌め易さも見逃せない大切な個目である。夫々の項目を評価し、更に総合評価した結果を表１に示す。何れも、ネクタイを着用しないで、衿ボタンを外した場合の評価である。第１ボタン５と前立上端１１との距離をＤｍｍとする。【００３４】
【表１】
2007009386.tif 000003
【００３５】衿元の窮屈さは、大幅に改善されるが、空気の流動は良くない。総合評価は、問題がある（不可）水準である記号×である。
Ｄ＝５ｍｍの場合、衿元が開くことはないが、ボタンの嵌め易さと空気の流動において、少々問題が残る。総合評価は、一部の装用者によっては満足してもらえる水準である。【００３６】  Ｄ＝１０ｍｍの場合、問題の要素がなく、総合評価は、優れた水準で優である。なお、例えば８ｍｍの場合、半分以上の装用者にとって、問題はない。
Ｄ＝１５〜３０ｍｍは、衿元の窮屈さが殆どなくなり、そして空気の流動がよくなり、総合評価は、秀である【００３７】Ｄ＝３５ｍｍは、生地により衿元の開きが大きくなる問題があり、総合評価は、優である。
Ｄ＝４０ｍｍは、従来と比べれば格段に優れているが、少々衿元の開きが大きくなる問題があり、総合評価は、良である。
Ｄ＝４５ｍｍ以上は、衿元の開きが大きくなり、総合評価は、不可である。【００３８】  また、従来のポロシャツは、衿元に３〜４個のボタンが取り付けられている。フロントがないので衿ボタンはなく、第１ボタンが、前立上端の近くに設けられている。第１ボタンと第２ボタンの間隔は、４０〜５０ｍｍでほぼ等間隔に設けられている。そして、ボタンの間隔もワイシャツと比較して狭いが、第１ボタンを外して装用すると、衿元が開き過ぎる欠点がある。【００３９】  衿元のボタン付きＴシャツでも同様である。これらのシャツでは、衿ボタンがあにので、第１ボタンと第２ボタンの間隔を１０〜３０ｍｍにすると、衿元の開き過ぎがなくなる。更に、第２ボタンと第３ボタンの間隔を４０〜６０ｍｍと広くすると、デザインが悪くならない。
【産業上の利用可能性】
【００４０】  本発明のボタン間隔は、男性のワイシャツの他、ポロシャツ、衿元ボタン付Ｔシャツ、女性用シャツにも利用できる。
ワイシャツは、本来、ネクタイを着用することを前提とし、形状、生地、色、絵柄等のデザインがされたものであるのであるが、カジュアルな形状、生地、色、絵柄のデザインとの組み合わせにより、シャツの新たな領域が創生することができる。
【図面の簡単な説明】
【００４１】
【図１】本発明のワイシャツを説明するための図である。
【図２】衿元付近を拡大した図である。
【図３】従来のワイシャツで、衿ボタンを外した時の衿元付近を拡大した図である。
【図４】従来のワイシャツの第１ボタンの位置を説明するための図である。
【符号の説明】
【００４２】  １・・・衿山、２・・・衿足、３・・・フロント（上）、４・・・衿ボタン、５・・・第１ボタン、６・・・第２ボタン、７・・・第３ボタン、８・・・前立（上）、７ａ・・・前立（下）、９・・・上前身頃、１０・・・下前身頃、１１・・・前立上端、１２・・・袖、１３・・・ボタン孔、１４・・・ボタン孔、１５・・・第１中間ボタン、１６・・・第２中間ボタン
【図１】
2007009386.tif 000004
【図２】
2007009386.tif 000005
【図３】
2007009386.tif 000006
【図４】
2007009386.tif 000007